(57)【要約】【課題】  本発明は、糞をトイレットペーパー等の水溶性紙類で包み、手で直接触れることなく、犬が排泄した糞を簡単に回収することが出来る糞回収器及び糞回収方法を提供することを目的とするものである。【解決手段】  本発明の糞回収器は、所定直径の円板状の側板１と、該側板１と同径の外径を有する所定幅の円環状のフレームリング２と、前記側板１と前記フレームリング２とを所定間隔に固定保持し、且つ中央に把持部３を形成したΩ状の取手４と、前記側板１と前記フレームリング２との間に半円筒状で開閉動自在に設けた一対の開閉本体５と、該開閉本体５を開閉動するために一方を円弧状に形成して前記開閉本体５円周に沿って固定し、他方を自由端の摘み部６とし、中央を前記把持部３に固定された開閉レバーガイド７に枢着された一対の開閉レバー８と、から構成される。【選択図】  図１
2005151831.tif 000002
【特許請求の範囲】
【請求項１】
所定直径の円板状の側板と、該側板と同径の外径を有する所定幅の円環状のフレームリングと、前記側板と前記フレームリングとを所定間隔に固定保持し、且つ中央に把持部を形成したΩ状の取手と、前記側板と前記フレームリングとの間に半円筒状で開閉動自在に設けた一対の開閉本体と、該開閉本体を開閉動するために一方を円弧状に形成して前記開閉本体円周に沿って固定し、他方を自由端の摘み部とし、中央を前記把持部に固定された開閉レバーガイドに枢着された一対の開閉レバーと、前記フレームリングに係合する糞回収用の容器ホルダーとから構成されることを特徴とする糞回収器。
【請求項２】
請求項１記載の糞回収器を使用し、水溶性紙類で糞の長手方向に直交する方向に余剰部分が形成されるように糞を覆い隠して、糞の長手方向と半円筒状で開閉動自在に設けた一対の開閉本体の長手方向が一致するようにして、開閉本体を開放させたままの状態で地面に接触させて糞が収容されるように位置させ、その状態で開閉本体を閉じ方向に回動させて水溶性紙類を介して糞を持ち上げながら糞を丸く包み、そして糞を包んだ水溶性紙類を開閉本体で挟持した状態で、糞回収器を鉛直方向又はやや取手方向に傾けた状態に起こしてほんの少し開閉本体を開放し、糞を水溶性紙類で包んだ状態で重力により容器ホルダーに落下させて汚物受け容器に回収することを特徴とする糞回収方法。
【発明の詳細な説明】
【技術分野】
【０００１】
本発明は、犬の散歩などの際に持参し、犬が排泄した糞を簡単に回収することが出来る糞回収器及び糞回収方法に関するものである。
【背景技術】
【０００２】
従来、犬の散歩などの際には、飼い主等が糞を処理するためにビニール袋やティッシュペーパーなどを持参して、犬が糞を排泄した際には、ビニール袋を裏返しにしてビニール袋に手を入れて糞にティッシュペーパーを被せたのち、ティッシュペーパーと糞とを一緒にビニール袋を介して手で掴み、ビニール袋を元通りに戻して糞を回収することが広く行われている。
また、直接手で掴まないような犬糞拾い具として、特開２００２−１７１８５７号公報が公知となっている。
この公知技術は、図６に示すように、一対の半割状ケース１，２の開口部に、ケース開口部の略下半部を覆う大きさの仕切板７と、取手１０を有する支持枠３と配し、両方のケース１，２に設けたレバー８，９を、その基部でクロスさせ、このクロス部を取手１０基部に重ねて枢軸１１で開閉動自在に枢着するものである。
この公知技術によれば、一対の半割状ケース１，２と、ケース開口部に当てられる仕切板７とを組み合わせ、地面の糞を直接にケースに押し込んで収容し、複数回の繰り返し使用でも、糞拾いは初回と変わりなく的確にでき、持ち帰った後の糞の処理は、糞だけを便器に流すなどして簡単に始末することができて便利なものである。
【０００３】
【特許文献１】特開２００２−１７１８５７
【発明の開示】
【発明が解決しようとする課題】
【０００４】
しかし、前記公知技術は、仕切板で糞をケースに押し込むように収容するため、糞をケースに押し込む動作が非常に難しいものとなる。
そこで、本発明は、糞をトイレットペーパー等の水溶性紙類で包み、手で直接触れることなく、犬が排泄した糞を簡単に回収することが出来る糞回収器及び糞回収方法を提供することを目的とするものである。
【課題を解決するための手段】
【０００５】
本発明の糞回収器は、所定直径の円板状の側板と、該側板と同径の外径を有する所定幅の円環状のフレームリングと、前記側板と前記フレームリングとを所定間隔に固定保持し、且つ中央に把持部を形成したΩ状の取手と、前記側板と前記フレームリングとの間に半円筒状で開閉動自在に設けた一対の開閉本体と、該開閉本体を開閉動するために一方を円弧状に形成して前記開閉本体円周に沿って固定し、他方を自由端の摘み部とし、中央を前記把持部に固定された開閉レバーガイドに枢着された一対の開閉レバーと、前記フレームリングに係合する糞回収用の容器ホルダーとから構成されるものである。
本発明の糞回収方法は、上記糞回収器を使用し、水溶性紙類で糞の長手方向に直交する方向に余剰部分が形成されるように糞を覆い隠して、糞の長手方向と半円筒状で開閉動自在に設けた一対の開閉本体の長手方向が一致するようにして、開閉本体を開放させたままの状態で地面に接触させて糞が収容されるように位置させ、その状態で開閉本体を閉じ方向に回動させてトイレットペーパーを介して糞を持ち上げながら糞を丸く包み、そして糞を包んだトイレットペーパーを開閉本体で挟持した状態で、糞回収器を鉛直方向又はやや取手方向に傾けた状態に起こしてほんの少し開閉本体を開放し、糞をトイレットペーパーで包んだ状態で重力により容器ホルダーに落下させて汚物受け容器に回収するものである。
【発明の効果】
【０００６】
本発明の糞回収器及び糞回収方法では、糞をトイレットペーパー等の水溶性紙類で包み、手で直接触れることなく、犬が排泄した糞を水溶性紙類で包んだ状態で回収することが出来るので便利である。
【発明を実施するための最良の形態】
【０００７】
本発明の糞回収器の一実施例を、以下に図面に基づいて説明する。
図１の一部破断正面図及び図２の平面図に示すように、本発明の糞回収器は、所定直径の円板状の側板１と、該側板１と同径の外径を有する所定幅の円環状のフレームリング２と、前記側板１と前記フレームリング２とを所定間隔に固定保持し、且つ中央に把持部３を形成したΩ状の取手４と、前記側板１と前記フレームリング２との間に半円筒状で開閉動自在に設けた一対の開閉本体５と、該開閉本体５を開閉動するために一方を円弧状に形成して前記開閉本体５円周に沿って固定し、他方を自由端の摘み部６とし、中央を前記把持部３に固定された開閉レバーガイド７に枢着された一対の開閉レバー８と、から構成される。
なお、前記側板１や開閉本体５は、透明な硬質プラスチックから製作されるが、これに限らず不透明の硬質プラスチックや金属製であっても構わない。
【０００８】
前記開閉レバー８は、前記取手４の把持部３から前記開閉本体５に向かう方向に固定された逆コ字状の開閉レバーガイド７間に位置し、該開閉レバーガイド７の先端部同士を前記開閉本体５に沿う方向で連結する支点ピン９を設け、図３の横断面図に示すように、該支点ピン９に前記開閉レバー８の中央を枢着し、さらに前記開閉本体５を閉鎖するため前記各開閉レバー８に端部を固定されて常時閉じ方向に付勢する弦巻状の開閉バネ１０を、前記支点ピン９に巻回取付したものである。
【０００９】
前記開閉本体５の長手方向の両端は、図１に示すように、それぞれ側板１の端面１１とフレームリング２の係合段部１２とにより保持されており、前記開閉本体５の開閉時には側板１の端面１１とフレームリング２の係合段部１２が案内ガイドとなって開閉時に変形することなく円滑に開閉動作を行うことができる。
また、図３のA部を拡大した図４に示すように、前記各開閉本体５の先端は爪状部１３をなし、前記開閉本体５を閉鎖した時に一方の爪状部１３が他方の爪状部１３に噛み込むように先端に重合噛み合い部分が形成される。
【００１０】
図１の破断部分に示すように、前記フレームリング２の前記係合段部１２と反対側には、内面に内ネジ１４が形成され、該内ネジ１４に螺合する外ネジを開口外縁部に有するカップ状の容器ホルダー１５が取付け取り外し自在に結合される。
また、前記容器ホルダー１５の内底面には渦巻きスプリングやスポンジ等の弾機部材２０を設け、水溶性紙類からなる汚物受け容器１６を上下動可能に保持するように構成する。
したがって、前記容器ホルダー１５を取り外し、前記容器ホルダー１５内に容器ホルダー１５より長い水溶性紙類からなる汚物受け容器１６を嵌合して２重構造とし、再び汚物受け容器１６を備えた容器ホルダー１５をフレームリング２に螺合することにより、糞の回収用容器を形成することができる。
【００１１】
前記取手４の開閉本体５に沿う方向の基部には、それぞれ吊り下げバンド用の取付金具１７を固定し、取付け取り外し自在の吊り下げバンド１８により糞回収器を吊り下げて携行することができるようになっている。
さらに、前記取手４の前部には、夜間照明用の小型ライト１９を嵌合固定する半円弧状のライト支持環（図示せず）を形成し、取付け取り外し自在とすると共に夜間の照明を簡単に行えるようになっている。
【００１２】
次に、本発明の糞回収方法の糞回収動作について、図面に基づいて以下に説明する。
図５-aから図５-bへ、犬の散歩などの際に犬が糞Bを排泄した場合には、まず水溶性紙類、例えばトイレットペーパーPなどで糞Bを覆い隠す。
その際、トイレットペーパーPが糞Bの長手方向に直交する方向に余剰部分が形成されるようにして覆い隠す。
次に、図５-bから図５-cへ、糞回収器の取手４を中指以下で握りながら開閉レバー８の摘み部６を親指と人差し指で挟み、支点ピン９を中心にして開閉レバー８、すなわち開閉本体５を開放させ、取手４と反対側に開口空間を形成する。
そして、図５-cから図５-dへ、糞Bの長手方向と開閉本体５の長手方向が一致するようにして開閉本体５を開放させたままの状態で、前記開口空間内に糞Bが収容されるように地面に側板１の最下端とフレームリング２の最下端とを接触させて位置、すなわち側板１の最下端とフレームリング２の最下端とを結ぶ仮想線上に糞Bを位置させる。
【００１３】
図５-dの状態で、親指と人差し指を開放すると、開閉バネ１０の付勢力により開閉本体５が閉じ方向、すなわち側板１の最下端とフレームリング２の最下端とを結ぶ仮想線に向かって回動するが、最初はトイレットペーパーPの上面を滑るようにして移動する。
そして、糞Bがあるところまで来ると、既に糞Bの上方はトイレットペーパーPで丸く包まれており、さらに図４に示す各開閉本体５の爪状部１３が重なり合う方向に移動するとトイレットペーパーPを介して糞Bを持ち上げながら糞Bを丸く包む。
なお、糞Bは水分を含んでおり、トイレットペーパーPが糞Bに吸い付いているので開閉本体５とトイレットペーパーPが一緒に移動することはない。
【００１４】
図５-dから図５-eへ、完了時には、一方の爪状部１３が他方の爪状部１３に重なり合う状態で噛み合うので、糞Bの長手方向全体が完全にトイレットペーパーPで巻き込まれた状態で開閉本体５に挟持される。
図５-eから図５-fへ、開閉本体５で糞Bを包んだトイレットペーパーPを挟持した状態で、糞回収器を鉛直方向又はやや取手４方向に傾けた状態に起こして糞回収器の取手４を中指以下で握りながら再び開閉レバー８の摘み部６を親指と人差し指で挟み、ほんの少し開閉本体５を開放する。
すると、糞BをトイレットペーパーPで包んだ状態で重力により容器ホルダー１５に落下する。
前記容器ホルダー１５中の汚物受け容器１６は水溶性紙類から形成されているので、帰宅したら容器ホルダー１５を外して汚物受け容器１６を取り出し、汚物受け容器１６と一緒に糞Bを水洗便器に投棄することができる。
なお、糞回収器は大きさを適宜選択することにより、複数回の糞回収でも、糞BをトイレットペーパーPで包んだ状態で汚物受け容器１６に回収するので、初回と変わりなく円滑に行うことができる。
【図面の簡単な説明】
【００１５】
【図１】本発明の糞回収器の一部破断正面図である。
【図２】本発明の糞回収器の平面図である。
【図３】本発明の糞回収器の横断面図である。
【図４】本発明の糞回収器の図３のA部拡大図である。
【図５】本発明の糞回収器の動作説明図である。
【図６】従来の犬糞拾い具の一部を断面で示す側面図である。
【符号の説明】
【００１６】
１：側板
２：フレームリング
３：把持部
４：取手
５：開閉本体
６：摘み部
７：開閉レバーガイド
８：開閉レバー
９：支点ピン
１０：開閉バネ
１１：端面
１２：係合段部
１３：爪状部
１４：内ネジ
１５：容器ホルダー
１６：汚物受け容器
１７：取付金具
１８：吊り下げバンド
１９：小型ライト
【図１】
2005151831.tif 000003
【図２】
2005151831.tif 000004
【図３】
2005151831.tif 000005
【図４】
2005151831.tif 000006
【図５】
2005151831.tif 000007
【図６】
2005151831.tif 000008